(57)【特許請求の範囲】
【請求項１】
装置本体１と、この装置本体１を着用部分に取付けるための着用バンド２を備え、
前記装置本体１は、本体１０と送風機１５と薬剤保持体１６と電池１８を有し、
その本体１０は、表面１０ａが閉塞され、裏面１０ｂの吸込口１２と側面１０ｃの放出口１３を連通する空気流通路１４及び電池収納室１７を有し、
前記送風機１５と薬剤保持体１６は本体１０の空気流通路１４内に設けられ、当該送風機１５を駆動することで空気流通路１４に空気が流通して薬剤保持体１６の薬剤が放出口１３から空気とともに大気に放散されるように構成し、
前記本体１０の裏面１０ｂ側に空隙保持部材２０を取付け、この空隙保持部材２０が前述の着用部分に接して当該空隙保持部材２０と本体１０の裏面１０ｂとの間に吸込口１２に連通した空隙２１を形成するようにしたことを特徴とする着用型送風式薬剤放散装置。
【請求項２】
本体１０の側面１０ｃにおける表面１０ａ寄りに放出口１３が形成され、
前記本体１０の表面１０ａ寄り内部に送風機１５が前記放出口１３と対向して設けられ、
前記本体１０の裏面１０ｂ寄り内部に薬剤保持体１６を設け、この薬剤保持体１６は、送風機１５、放出口１３よりも裏面１０ｂ寄りに位置するようにした請求項１記載の着用型送風式薬剤放散装置。
【請求項３】
本体１０に着用バンド２を取付け、この着用バンド２の締付けによって空隙保持部材２０で薬剤保持体１６を本体１０内に押付け保持できるようにした請求項１記載の着用型送風式薬剤放散装置。
【請求項４】
本体１０の裏面１０ｂを開口して吸込口１２とし、この吸込口１２の内周面と空隙保持部材２０の一部分との間に開放部分２５を形成し、この開放部分２５は吸込口１２及び空隙２１にそれぞれ連通している請求項１記載の着用型送風式薬剤放散装置。
【請求項５】
装置本体１と、この装置本体１を着用部分に取付けるための着用バンド２を備え、
前記装置本体１は、本体１０と送風機１５と薬剤保持体１６と電池１８を有し、
その本体１０は、表面１０ａが閉塞され、側面１０ｃの裏面１０ｂ寄りの吸込口１２と側面１０ｃの表面１０ａ寄りの放出口１３を連通する空気流通路１４及び電池収納室１７を有し、
前記送風機１５と薬剤保持体１６は本体１０の空気流通路１４内に設けられ、当該送風機１５を駆動することで空気流通路１４に空気が流通して薬剤保持体１６の薬剤が放出口１３から空気とともに大気に放散されるように構成し、
前記送風機１５は本体１０の表面寄りに設けられ、この送風機１５が放出口１３と対向し、
前記薬剤保持体１６は本体１０の裏面寄りに設けられ、この薬剤保持体１６よりも裏面１０ｂ寄りに吸込口１２が開口していることを特徴とする着用型送風式薬剤放散装置。
【請求項６】
本体１０の側面１０ｃに形成した吸込口１２と放出口１３は平面方向に位置がずれている請求項５記載の着用型送風式薬剤放散装置。
【発明の詳細な説明】
【技術分野】
【０００１】
本発明は、人体、家畜やペット等の動物などに着用して、殺虫剤、忌避剤、芳香剤、消臭剤、除菌剤などの揮散性の薬剤を大気に放散する着用型送風式薬剤放散装置に関する。
【背景技術】
【０００２】
特許文献１に着用型の送風式薬剤放散装置が開示されている。
この装置は、本体内に、送風機と薬剤保持体と電池を設けて送風機を駆動することで吸込口から放出口に空気が流通し、その放出口から放出される空気とともに薬剤保持体の薬剤が大気に放散される装置本体と、この装置本体に取付けた着用バンドを備え、その着用バンドによって装置本体を人体、動物などに着用できる。
【０００３】
特許文献２には、本体内に送風機、薬剤保持体、電池を設け、送風機を駆動することで本体の裏面に形成した吸込口から空気を吸い込み、薬剤保持体を通して本体の側面に形成した放出口から大気に放出するようにした送風式薬剤放散装置が開示されている。
【０００４】
【特許文献１】特開２００４−２４１６１号公報
【特許文献２】特開２００２−２２６３０５号公報
【発明の開示】
【発明が解決しようとする課題】
【０００５】
前述の特許文献１に開示された装置であれば、人、動物などに着用して使用することができる。
しかし、その本体の表面に吸込口が形成されていると共に、その吸込口と連続して薬剤保持体が設けてあるので、太陽光（日射）が吸込口を通して前記薬剤保持体に直接照射される度合が多く、その薬剤保持体が保持している薬剤が早期に劣化することがある。
【０００６】
このことを解消するには、特許文献２に開示された装置のように、本体の裏面に吸込口を形成し、表面を閉塞された形状とすることが考えられる。
しかし、着用バンドを人体の手、腰や動物の首、足、胴などの着用部分に巻きつけるようにして装置本体を着用するので、裏面に形成した吸込口が人体の手、腰、動物の首、足、胴などの着用部分で閉塞され易く、空気を吸い込みづらい状態となり、薬剤を効率良く大気に放散できないことがある。
【０００７】
本発明の目的は、人体、動物などの着用部分に着用して使用する際に、太陽光で薬剤が早期に劣化しないと共に、薬剤を効率良く大気に放散できる着用型送風式薬剤放散装置とすることである。
【課題を解決するための手段】
【０００８】
第１の発明は、装置本体１と、この装置本体１を着用部分に取付けるための着用バンド２を備え、
前記装置本体１は、本体１０と送風機１５と薬剤保持体１６と電池１８を有し、
その本体１０は、表面１０ａが閉塞され、裏面１０ｂの吸込口１２と側面１０ｃの放出口１３を連通する空気流通路１４及び電池収納室１７を有し、
前記送風機１５と薬剤保持体１６は本体１０の空気流通路１４内に設けられ、当該送風機１５を駆動することで空気流通路１４に空気が流通して薬剤保持体１６の薬剤が放出口１３から空気とともに大気に放散されるように構成し、
前記本体１０の裏面１０ｂ側に空隙保持部材２０を取付け、この空隙保持部材２０が前述の着用部分に接して当該空隙保持部材２０と本体１０の裏面１０ｂとの間に吸込口１２に連通した空隙２１を形成するようにしたことを特徴とする着用型送風式薬剤放散装置で
ある。
【０００９】
第２の発明は、第１の発明において、本体１０の側面１０ｃにおける表面１０ａ寄りに放出口１３が形成され、
前記本体１０の表面１０ａ寄り内部に送風機１５が前記放出口１３と対向して設けられ、
前記本体１０の裏面１０ｂ寄り内部に薬剤保持体１６を設け、この薬剤保持体１６は、送風機１５、放出口１３よりも裏面１０ｂ寄りに位置するようにした着用型送風式薬剤放散装置である。
【００１０】
第３の発明は、第１の発明において、本体１０に着用バンド２を取付け、この着用バンド２の締付けによって空隙保持部材２０で薬剤保持体１６を本体１０内に押付け保持できるようにした着用型送風式薬剤放散装置である。
【００１１】
第４の発明は、第１の発明において、本体１０の裏面１０ｂを開口して吸込口１２とし、この吸込口１２の内周面と空隙保持部材２０の一部分との間に開放部分２５を形成し、この開放部分２５は吸込口１２及び空隙２１にそれぞれ連通している着用型送風式薬剤放散装置である。
【００１２】
第５の発明は、装置本体１と、この装置本体１を着用部分に取付けるための着用バンド２を備え、
前記装置本体１は、本体１０と送風機１５と薬剤保持体１６と電池１８を有し、
その本体１０は、表面１０ａが閉塞され、側面１０ｃの裏面１０ｂ寄りの吸込口１２と側面１０ｃの表面１０ａ寄りの放出口１３を連通する空気流通路１４及び電池収納室１７を有し、
前記送風機１５と薬剤保持体１６は本体１０の空気流通路１４内に設けられ、当該送風機１５を駆動することで空気流通路１４に空気が流通して薬剤保持体１６の薬剤が放出口１３から空気とともに大気に放散されるように構成し、
前記送風機１５は本体１０の表面寄りに設けられ、この送風機１５が放出口１３と対向し、
前記薬剤保持体１６は本体１０の裏面寄りに設けられ、この薬剤保持体１６よりも裏面１０ｂ寄りに吸込口１２が開口していることを特徴とする着用型送風式薬剤放散装置である。
【００１３】
第６の発明は、第５の発明において、本体１０の側面１０ｃに形成した吸込口１２と放出口１３は平面方向に位置がずれている着用型送風式薬剤放散装置である。
【発明の効果】
【００１４】
第１の発明によれば、装置本体１を人体の手、腰や動物の首、足、胴などの着用部分に着用バンド２で取付けて着用して使用することができる。
また、前述のようにして使用する際に、本体１０の表面１０ａが閉塞されているから、本体１０内の薬剤保持体１６に太陽光が直接照射することがなく、太陽光で薬剤が早期に劣化することがない。
また、前述のようにして使用する際に、空隙保持部材２０が着用部分に接して吸込口１２が着用部分で閉塞されることがないし、この空隙保持部材２０と本体１０の裏面１０ｂとの間の空隙２１を通して吸込口１２に空気が流れるので、本体１０内の空気流通路１４に必要な量の空気が流通し、薬剤を効率良く大気に放散できる。
【００１５】
第２の発明によれば、薬剤保持体１６は送風機１５、放出口１３よりも裏面１０ｂ寄りに位置しているので、その放出口１３から本体１０内に入射した太陽光が薬剤保持体１６まで達することがなく、薬剤が太陽光で早期で劣化することが確実に防止できる。
【００１６】
第３の発明によれば、着用バンド２の締付けで空隙保持部材２０によって薬剤保持体１６が本体１０から脱落することを防止できる。
したがって、空隙保持部材２０を本体１０に強固にしっかりと取付けしなくとも良いから、その空隙保持部材２０を本体１０から簡単に取り外しできるようにすることで、薬剤保持体１６を簡単に交換できる。
【００１７】
第４の発明によれば、開放部分２５から吸込口１２に空気が直接吸い込みされるので、より多くの空気が空気流通路１４に流通し、薬剤をより効率良く大気に放散できる。
【００１８】
第５の発明によれば、装置本体１を、人体の手、腰や動物の首、足、胴などの着用部分に着用バンド２で取付けて着用して使用することができる。
また、前述のようにして使用する際に、本体１０の表面１０ａが閉塞されているから、本体１０内に薬剤保持体１６に太陽光が直接照射することがなく、太陽光で薬剤が早期に劣化することがない。
また、前述のようにして使用する際に、本体１０の側面１０ｃに形成された吸込口１２が着用部分で閉塞されることがなく、本体１０内の空気流通路１４に必要な量の空気が流通し、薬剤を効率良く大気に放散できる。
【００１９】
第６の発明によれば、放出口１３から放出された空気が吸込口１２から吸い込まれることがないので、放出口１３から放出した薬剤を大気に確実に放散できる。
【発明を実施するための最良の形態】
【００２０】
本発明の第１の実施の形態を説明する。
図１と図２に示すように、装置本体１と着用バンド２を備え、その着用バンド２を人体、動物などの着用部分、例えば手、腰、首、胴、足に巻きつけるようにして取付けることで装置本体１を着用する。
この実施の形態では、着用バンド２はバックル３を備えた一側バンド４と、穴５を複数有した他側バンド６から成る。
そして、一側バンド４を装置本体１に取付けると共に、他側バンド６を装置本体１に取付け、バックル３のピン３ａを穴５に挿入して取付けるようにしてある。
前記着用バンド２は、一側バンド４と他側バンド６が一体的に連続したものでも良いし、リストバンドタイプでも良い。また装置本体１と着用バンド２は固定でも良いし、着脱自在でも良い。
【００２１】
前記装置本体１は、本体１０を備えている。この本体１０は表面１０ａが閉塞され、裏面１０ｂが開放した箱形状で、その側面１０ｃに２つのバンド取付部１１が設けてあり、そのバンド取付部１１に前述の一側バンド４、他側バンド６がそれぞれ取付けてある。
前記本体１０の裏面１０ｂの開口部を吸込口１２とし、本体１０の側面１０ｃに放出口１３を形成することで、本体１０内に図２に点線で示すように、その吸込口１２と放出口１３を連通する空気流通路１４を構成している。
【００２２】
図３に示すように、前記本体１０内の空気流通路１４に、送風機１５と薬剤保持体１６が設けてあり、その送風機１５を駆動することで前記空気流通路１４に空気が流通して薬剤保持体１６の薬剤が空気とともに放出口１３から大気に放散される。
前記送風機１５はモータ１５ａでファン１５ｂで回転するもので、そのモータ１５ａが表面１０ａ寄りの取付けられてファン１５ｂが放出口１３と対向している。前記薬剤保持体１６は本体１０の裏面１０ｂ寄りに設けてある。
前記モータ１５ａは、本体１０の電池収納室１７に設けた電池１８を電源として駆動される。
前記電池収納室１７は本体１０の表面１０ａに設けてあり、着脱自在な蓋１７ａを備えている。
この電池収納室１７は本体１０の側面１０ｃに設けても良い。例えば、側面１０ｃの一方向１ヶ所に、又は側面１０ｃの対向した２ヶ所に電池収納室１７を設けても良い。
【００２３】
前述のように、薬剤保持体１６は送風機１５、放出口１３よりも本体１０の裏面１０ｂ寄りに位置しているので、その放出口１３から本体１０内に入射した太陽光は、送風機１５に遮へいされて薬剤保持体１６まで達することがない。
よって、放出口１３から本体１０内に入射した太陽光で薬剤保持体１６が早期に劣化することがない。
【００２４】
前記薬剤保持体１６は、本体１０の裏面１０ｂの開口部より着脱自在に取付けしてある。
前記薬剤保持体１６は、図３に示すように、容器１６ａ内にプレート状の薬剤担持体１６ｂを設け、押えプレート１６ｃで保持したもので、その容器１６ａ、押えプレート１６ｃの開口部分を通して薬剤担持体１６ｂに空気が流通する。
そして、前記容器１６ａが本体１０の開口部（吸込口１２）に嵌合して取付けられる。
【００２５】
前記本体１０には空隙保持部材２０が設けてある。
この空隙保持部材２０は、前述の人体、動物などの着用部分に接すると共に、本体１０の裏面１０ｂと空隙保持部材２０との間に空隙２１を形成し、その空隙２１は吸込口１２に連通している。
このようであるから、人体、動物の着用部分に着用バンド２で取付けた状態で、その吸込口１２が着用部分で閉塞されることがなく、吸込口１２に空気がスムーズに吸い込みされるので、本体１０の空気流通路１４に所定の量の空気が確実に流通し、薬剤を効率良く大気に放散できる。
【００２６】
例えば、前記空隙保持部材２０はプレート２２に複数の取付片２３を設けたもので、その取付片２３を本体１０の裏面１０ｂの開口部に挿入して取付けることによって、そのプレート２２が本体１０の裏面１０ｂと離隔して両者の間に空隙２１を形成し、この空隙２１は吸込口１２と連通する。
そして、人体、動物の着用部分に着用バンド２で装置本体１を着用した時に、前記プレート２２が着用部分に接して吸込口１２が着用部分で閉塞されないようにする。
【００２７】
この実施の形態では、図４に示すように空隙保持部材２０の取付片２３が薬剤保持体１６の容器１６ａ、押えプレート１６ｃに接しているので、着用バンド２で取付けた時に、その着用バンド２の締付力で薬剤保持体１６をしっかりと保持し、外れたりすることがない。
したがって、人体の手に着用した状態で、その手を振れ動かしたりしても薬剤保持体１６が本体１０から脱落することがない。
【００２８】
前述の実施の形態は、本体１０が円筒形状であるから、空隙保持部材２０のプレート２２を円形としたが、そのプレート２２を矩形状、２つの平行面と２つの円弧面で囲まれた形状等として、本体１０の裏面１０ｂの開口部（吸込口１２）の一部分が下方に開放するようにしたり、本体１０を矩形筒状としてプレート２２を円形、三角形等として本体１０の裏面１０ｂの開口部（吸込口１２）の一部分が下方に開放するようにしても良い。
【００２９】
例えば、図５に示すように、空隙保持部材２０のプレート２２を、２つの円弧面２２ａと２つの直線状面２２ｂで囲まれた非円形状とし、その各円弧面２２ａに沿って円弧状片２４を備えた形状とする。
そして、図６に示すように、前記２つの円弧状片２４を本体１０の開口部（吸込口１２）に嵌合して取付け、プレート２２の２つの直線状面２２ｂが吸込口１２の内周面よりも内方寄りとなり、その吸込口１２の一部分がプレート２２によって遮断されずに下方に開放し、その開放部分２５は吸込口１２及び前述の空隙２１に連通するようにする。
【００３０】
このようにすれば、装置本体１を人体、動物の着用部分に取付けて着用した時に、そのプレート２２が着用部分に接して空隙２１が保持されると共に、前述のプレート２２と吸込口１２の内周面との間の開放部分２５からも空気が吸い込みされるので、より一層スムーズに空気を吸い込みできる。
【００３１】
次に、本発明の第３の実施の形態を図７、図８、図９に基づいて説明する。
本体１０内の表面１０ａ寄りに送風機１５を設けると共に、側面１０ｃにおける表面１０ａ寄りに放出口１３を形成し、この放出口１３と送風機１５の出口側が対向して連通するようにする。
前記本体１０内の裏面１０ｂ寄りに薬剤保持体１６を設け、前記送風機１５が薬剤保持体１６よりも表面１０ａ寄りとする。
前記本体１０の側面１０ｃにおける裏面１０ｂ寄りに吸込口１２を形成し、この吸込口１２が本体１０内における薬剤保持体１６よりも裏面１０ｂ寄りに開口するようにする。
この吸込口１２はスリット形状であり、その吸込口１２を本体１０の裏面１０ｂまで切り欠いて隙間を形成しても良い。
【００３２】
これにより、送風機１５を駆動することで吸込口１２から本体１０内に空気を吸い込み、その空気は薬剤保持体１６を通って送風機１５の入口から吸い込まれ、放出口１３から放出される。
【００３３】
このようであるから、装置本体１を人体、動物の着用部分に着用バンド２を用いて取付けて着用した時に、吸込口１２が着用部分によって閉塞されることがなく、空気流通経路１４に所定量の空気が確実に流通するので、薬剤を効率良く大気に放散できる。
【００３４】
前記吸込口１２と放出口１３は図７に示すように、平面方向に位置がずれ、その放出口１３から放出した空気を吸込口１２から吸い込むことがないようにしてある。
【００３５】
この実施の形態の場合には、図９に示すように本体１０の裏面１０ｂの開口部を蓋部材３０で閉塞し、その蓋部材３０で薬剤保持体１６を保持しているが、その蓋部材３０に補助吸込口３１を形成しても良い。
このようにすれば、より多量の空気を吸い込むことができる。
【００３６】
また、図９に仮想線で示すように、蓋部材３０を取り外して前述した空隙保持部材２０を取付けて空隙２１を形成するようにしても良い。
このようにすれば、より一層多くの空気を吸い込むことができる。
【００３７】
前述の各実施の形態における放出口１３の形成箇所や形成数は、前述の装置本体１の着用バンドの取付け側２ヶ所に限定されず、着用対象物の人体や動物やその着用部分、又は使用する薬剤種によって決めるのが好ましい。
【図面の簡単な説明】
【００３８】
【図１】本発明の第１の実施の形態を示す平面図である。
【図２】本発明の第１の実施の形態を示す側面図である。
【図３】装置本体の拡大断面図である。
【図４】図３のＡ−Ａ断面図である。
【図５】空隙保持部材の他の例を示す斜視図である。
【図６】その空隙保持部材を用いた装置本体の第２の実施の形態を示す断面図である。
【図７】本発明の第３の実施の形態を示す平面図である。
【図８】本発明の第３の実施の形態を示す側面図である。
【図９】装置本体の拡大断面図である。
【符号の説明】
【００３９】
１…装置本体、２…着用バンド、１０…本体、１０ａ…表面、１０ｂ…裏面、１０ｃ…側面、１２…吸込口、１３…放出口、１４…空気流通路、１５…送風機、１６…薬剤保持体、１７…電池収納室、１８…電池、２０…空隙保持部材、２１…空隙、２５…開放部分。
【図１】
0004597808.tif 000002
【図２】
0004597808.tif 000003
【図３】
0004597808.tif 000004
【図４】
0004597808.tif 000005
【図５】
0004597808.tif 000006
【図６】
0004597808.tif 000007
【図７】
0004597808.tif 000008
【図８】
0004597808.tif 000009
【図９】
0004597808.tif 000010